(57)【要約】【課題】電源の省電力化を図りつつ、電源の大型化を抑制する。【解決手段】スイッチング電源１１０と、前記スイッチング電源１１０を制御する制御装置９０と、前記制御装置９０に電力を供給するコンデンサＣ７とを備え、前記スイッチング電源１１０は、トランスＴと、前記トランスＴを駆動するトランス駆動部１２３と、前記トランスＴの前記二次巻線に接続され、前記トランスＴの二次側に誘起された電圧から直流の低電圧を生成して第一負荷に出力する低電圧生成回路１３１と、前記トランスＴの前記二次巻線に接続され、前記トランスＴの二次側に誘起された電圧から直流の高電圧を生成して第二負荷に出力する高電圧生成回路１４１と、前記トランスＴに対する前記第二負荷の接続状態を切り換える負荷スイッチ１５１とを有し、前記制御装置９０はトランス停止期間中に、前記負荷スイッチ１５１のオンオフを切り換える切換処理を実行する。【選択図】図４
2015012691.tif 000002
【特許請求の範囲】
【請求項１】
交流電圧から、電圧が異なる２つの直流電圧を生成して出力するスイッチング電源と、
前記スイッチング電源を制御する制御装置と、
前記スイッチング電源より電源容量が小さい小容量電源であって、前記制御装置に電力を供給する小容量電源と、を備え、
前記スイッチング電源は、
一次巻線と、複数の二次巻線を有するトランスと、
前記トランスの一次側に設けられ、前記トランスを駆動することにより、前記トランスの二次側に電圧を誘起させるトランス駆動部と、
前記トランスの一方側の前記二次巻線に接続され、前記トランスの二次側に誘起された電圧から直流の低電圧を生成して第一負荷に出力する低電圧生成回路と、
前記トランスの他方側の前記二次巻線に接続され、前記トランスの二次側に誘起された電圧から直流の高電圧を生成して第二負荷に出力する高電圧生成回路と、
前記トランスの他方側の前記二次巻線に対する、前記第二負荷の接続状態を切り換える負荷スイッチと、を有し、
前記制御装置は、
前記トランスが駆動を停止するトランス停止期間中に、前記負荷スイッチのオンオフを切り換える切換処理を実行する電源システム。
【請求項２】
請求項１に記載の電源システムであって、
前記制御装置は、前記切換処理において、前記負荷スイッチをオンからオフに切り換えるオフ処理を実行する電源システム。
【請求項３】
請求項２に記載の電源システムであって、
前記制御装置は、前記トランスが駆動しかつ前記負荷スイッチがオンするフル出力モードから、前記トランスが駆動を停止しかつ負荷スイッチがオフする出力停止モードへの移行時、
前記トランス駆動部を通じて前記トランスの駆動を停止させてから前記オフ処理を実行する電源システム。
【請求項４】
請求項２に記載の電源システムであって、
前記制御装置は、前記トランスが駆動しかつ前記負荷スイッチがオンするフル出力モードから、前記トランスが駆動しかつ前記負荷スイッチがオフする省電力モードへの移行時、
前記トランス駆動部を通じて前記トランスの駆動を一時停止させてから前記オフ処理を実行し、
前記オフ処理の実行後に前記トランスを再駆動させる電源システム。
【請求項５】
請求項１に記載の電源システムであって、
前記制御装置は、前記切換処理において、前記負荷スイッチをオフからオンに切り換えるオン処理を実行する電源システム。
【請求項６】
請求項５に記載の電源システムであって、
前記制御装置は、前記トランスが駆動を停止しかつ負荷スイッチがオフする出力停止モードから、前記トランスが駆動しかつ前記負荷スイッチがオンするフル出力モードへの移行時、
前記オン処理の実行後に前記トランスを駆動させる電源システム。
【請求項７】
請求項５に記載の電源システムであって、
前記制御装置は、前記トランスが駆動しかつ前記負荷スイッチがオフする省電力モードから、前記トランスが駆動しかつ前記負荷スイッチがオンするフル出力モードへの移行時、
前記トランス駆動部を通じて前記トランスの駆動を一時停止してから、前記オン処理を実行し、
前記オン処理の実行後に、前記トランスを再駆動させる電源システム。
【請求項８】
請求項１ないし請求項７のいずれか一項に記載の電源システムであって、
前記高電圧生成回路は、
前記トランスの二次側に誘起された電圧を整流するダイオードと、
前記整流後の電圧を平滑する平滑化コンデンサと、を含み、
前記負荷スイッチは、前記ダイオードと前記平滑化コンデンサとの間に設けられている電源システム。
【請求項９】
請求項１ないし請求項８のいずれか一項に記載の電源システムであって、
前記小容量電源は、前記低電圧生成回路から電力の供給を受けて蓄電する蓄電部である電源システム。
【請求項１０】
シートに画像を形成する画像形成部と、
請求項１ないし請求項９いずれか一項に記載の電源システムと、を備えた画像形成装置。
【請求項１１】
請求項１０に記載の画像形成装置であって、
前記画像形成部は、
シートに画像を形成するための感光体と、
前記感光体を帯電させる帯電器と、
前記感光体に各色の現像剤を供給する各現像器と、を含み、
前記負荷は、前記各現像器に対して現像電圧を印加する各現像電圧印加回路である画像形成装置。
【発明の詳細な説明】
【技術分野】
【０００１】
本発明は、直流電源の省電力化を図りつつ、直流電源の大型化を抑制する技術に関する。
【背景技術】
【０００２】
従来から、電圧制御回路を有する１次直流電源側の１次巻線と、複数の２次直流電源系統を有する２次直流電源側の各２次巻線とをトランス結合した直流電源装置が知られている。そして、下記特許文献１では、系統切り離し信号の入力に応答して、トランスの二次側に設けたスイッチをオフすることによって２次直流電源系統から負荷を切り離すことにより、直流電源の省電力化を図る技術が開示されている。
【先行技術文献】
【特許文献】
【０００３】
【特許文献１】特開２０００−６０１２４公報
【発明の概要】
【発明が解決しようとする課題】
【０００４】
しかしながら、トランスの通電中にスイッチのオンオフを切り換えると、スイッチの両端電圧が大きく変化してサージが発生し易くなる。そのため、サージに耐えられるように耐圧を上げる必要があり、スイッチが大型化する恐れがあった、
本発明は上記のような事情に基づいて完成されたものであって、直流電源の省電力化を図りつつ、直流電源の大型化を抑制することを目的とする。
【課題を解決するための手段】
【０００５】
本明細書によって開示される電源システムは、交流電圧から、電圧が異なる２つの直流電圧を生成して出力するスイッチング電源と、前記スイッチング電源を制御する制御装置と、前記スイッチング電源より電源容量が小さい小容量電源であって、前記制御装置に電力を供給する小容量電源と、を備え、前記スイッチング電源は、一次巻線と、複数の二次巻線を有するトランスと、前記トランスの一次側に設けられ、前記トランスを駆動することにより、前記トランスの二次側に電圧を誘起させるトランス駆動部と、前記トランスの一方側の前記二次巻線に接続され、前記トランスの二次側に誘起された電圧から直流の低電圧を生成して第一負荷に出力する低電圧生成回路と、前記トランスの他方側の前記二次巻線に接続され、前記トランスの二次側に誘起された電圧から直流の高電圧を生成して第二負荷に出力する高電圧生成回路と、前記トランスの他方側の前記二次巻線に対する、前記第二負荷の接続状態を切り換える負荷スイッチと、を有し、前記制御装置は、前記トランスが駆動を停止するトランス停止期間中に、前記負荷スイッチのオンオフを切り換える切換処理を実行する。尚、「電源容量が小さい」という意味は、「負荷に対して流すことが出来る許容電流が小さい」という意味と、「負荷に対すことが出来る電流と電流を流せる時間の積（いわゆるＡＨ）が小さい」という意味の双方を含む。
【０００６】
この構成では、低電圧生成回路側に接続された負荷に対してのみ電力を供給する場合には、負荷スイッチの切り換えによって、高電圧生成回路に接続された第二負荷をトランスから切り離すことが出来る。そのため、第二負荷にて消費される待機電力を抑えることが可能となる。よって、スイッチング電源を省電力化できる。また、負荷スイッチの切り換えが必要な場合は、一旦、トランスの駆動を停止して、スイッチ両端に電圧がほとんど加わっていない状態で、負荷スイッチを切り換える。そのため、スイッチの切り換えに伴う、サージの発生を抑えることができる。よって、負荷スイッチの耐圧を下げることが出来るため、スイッチング電源を小型化することが出来る。
【０００７】
上記電源システムの実施態様として以下の構成が好ましい。
前記制御装置は、前記切換処理において、前記負荷スイッチをオンからオフに切り換えるオフ処理を実行する。この構成では、スイッチ両端に電圧がほとんど加わっていない状態で負荷スイッチをオンからオフに切り換えるので、サージの発生を抑えることができる。よって、負荷スイッチの耐圧を下げることが出来る。
【０００８】
前記制御装置は、前記トランスが駆動しかつ前記負荷スイッチがオンするフル出力モードから、前記トランスが駆動を停止しかつ負荷スイッチがオフする出力停止モードへの移行時、前記トランス駆動部を通じて前記トランスの駆動を停止させてから前記オフ処理を実行する。この構成では、フル出力モードから出力停止モードへの移行時、スイッチ両端に電圧がほとんど加わっていない状態で、負荷スイッチをオンからオフに切り換えることができる。よって、サージの発生を抑えることが出来るため、負荷スイッチの耐圧を下げることが出来る。
【０００９】
前記制御装置は、前記トランスが駆動しかつ前記負荷スイッチがオンするフル出力モードから、前記トランスが駆動しかつ前記負荷スイッチがオフする省電力モードへの移行時、前記トランス駆動部を通じて前記トランスの駆動を一時停止させてから前記オフ処理を実行し、前記オフ処理の実行後に前記トランスを再駆動させる。この構成では、フル出力モードから省電力モードへの移行時、スイッチ両端に電圧がほとんど加わっていない状態で、負荷スイッチをオンからオフに切り換える。よって、サージの発生を抑えることが出来るため、負荷スイッチの耐圧を下げることが出来る。
【００１０】
前記制御装置は、前記切換処理において、前記負荷スイッチをオフからオンに切り換えるオン処理を実行する。この構成では、スイッチ両端に電圧がほとんど加わっていない状態で負荷スイッチをオフからオンに切り換えるので、サージの発生を抑えることができる。よって、負荷スイッチの耐圧を下げることが出来る。
【００１１】
前記制御装置は、前記トランスが駆動を停止しかつ負荷スイッチがオフする出力停止モードから、前記トランスが駆動しかつ前記負荷スイッチがオンするフル出力モードへの移行時、前記オン処理の実行後に前記トランスを駆動させる。この構成では、出力停止モードからフル出力モードへの移行時、スイッチ両端に電圧がほとんど加わっていない状態で、負荷スイッチをオフからオンに切り換えることが出来る。そのため、サージの発生を抑えることが出来るため、負荷スイッチの耐圧を下げることが出来る。
【００１２】
前記制御装置は、前記トランスが駆動しかつ前記負荷スイッチがオフする省電力モードから、前記トランスが駆動しかつ前記負荷スイッチがオンするフル出力モードへの移行時、前記トランス駆動部を通じて前記トランスの駆動を一時停止してから、前記オン処理を実行し、前記オン処理の実行後に、前記トランスを再駆動させる。この構成では、省電力モードからフル出力モードへの移行時、スイッチ両端に電圧がほとんど加わっていない状態で、負荷スイッチをオフからオンに切り換えることが出来る。そのため、サージの発生を抑えることが出来るため、負荷スイッチの耐圧を下げることが出来る。
【００１３】
前記高電圧生成回路は、前記トランスの二次側に誘起された電圧を整流するダイオードと、前記整流後の電圧を平滑する平滑化コンデンサと、を含み、前記負荷スイッチは、前記ダイオードと前記平滑化コンデンサとの間に設けられている。負荷スイッチをダイオードと平滑化コンデンサとの間に設けておけば、負荷スイッチに対して正の電圧だけが加わることになるので、負荷スイッチにＦＥＴやトランジスタ等を利用することが可能となり、スイッチを小型化することが出来る。
【００１４】
前記小容量電源は、前記低電圧生成回路から電力の供給を受けて蓄電する蓄電部である。この構成では、小容量電源を最小の部品点数で構成できる。
【００１５】
尚、本明細書によって開示される電源システムは、シートに画像を形成する画像形成部を備えた画像形成装置に適用することが出来る。
【発明の効果】
【００１６】
本発明によれば、直流電源の省電力化を図りつつ、直流電源の大型化を抑制することが出来る。
【図面の簡単な説明】
【００１７】
【図１】実施形態１に係るプリンタの内部構成を表す概略断面図
【図２】ブラックのプロセスユニット周辺のプリンタの内部構成を示す概略断面図
【図３】プリンタの電気的構成を示すブロック図
【図４】電源システムの回路図
【図５】現像電圧印加回路の回路図
【図６】モードの遷移を示す図
【図７】図４の一部（負荷スイッチ部分）を拡大した図
【図８】負荷スイッチをオフからオンに切り換える手順を示すフローチャート図
【図９】負荷スイッチをオンからオフに切り換える手順を示すフローチャート図
【図１０】印刷処理の実行に伴って行われる、負荷スイッチの切り換え手順を示すフローチャート図
【図１１】フル出力モードから出力停止モードへの移行時に実行される負荷スイッチの切り換え手順を示すフローチャート図
【図１２】出力停止モードからフル出力モードへの移行時に実行される負荷スイッチの切り換え手順を示すフローチャート図
【図１３】実施形態２に係る電源システムの回路図
【発明を実施するための形態】
【００１８】
＜実施形態１＞
実施形態１を図１ないし図１２によって説明する。
１．プリンタの全体構成
図１は、本実施形態のプリンタ１（「画像形成装置」の一例）の内部構成を表す概略断面図である。以下の説明では、各構成要素について、色毎に区別する場合は各部の符号にＢ（ブラック）、Ｙ（イエロー），Ｍ（マゼンタ），Ｃ（シアン），の添え字を付し、区別しない場合は添え字を省略する。
【００１９】
プリンタ１は、給紙部３、画像形成部５、搬送機構７、定着部９、電源システムＳ、これらを収容する本体ケーシング１０を含む構成である。給紙部３は、プリンタ１の最下部に設けられており、シート（用紙、ＯＨＰシートなど）１５を収容するトレイ１７と、ピックアップローラ１９とを備える。トレイ１７に収容されたシート１５は、ピックアップローラ１９により１枚ずつ取り出され、搬送ローラ１１，レジストレーションローラ１２を介して搬送機構７に送られる。
【００２０】
搬送機構７は、シート１５を搬送するものであり、プリンタ１内において給紙部３の上側に設置されている。搬送機構７は、駆動ローラ３１、従動ローラ３２、およびベルト３４を含み、ベルト３４は、駆動ローラ３１と従動ローラ３２との間に架け渡されている。駆動ローラ３１が回動すると、ベルト３４は、感光ドラム４１Ｂ、４１Ｙ、４１Ｍ、４１Ｃと対向する側の表面が、図１中の右方向から左方向へ移動する。これにより、レジストレーションローラ１２から送られてきたシート１５が、画像形成部５下へと搬送される。
【００２１】
また、ベルト３４には、４つの感光ドラム４１Ｂ、４１Ｙ、４１Ｍ、４１Ｃに対応して、４つの転写ローラ３３Ｂ、３３Ｙ、３３Ｍ、３３Ｃが設けられている。各転写ローラ３３は、ベルト３４を間に挟みつつ各感光ドラム４１Ｂ、４１Ｙ、４１Ｍ、４１Ｃに対して向かい合う位置に配置されている。
【００２２】
画像形成部５は４個のプロセスユニット４０Ｂ、４０Ｙ、４０Ｍ、４０Ｃおよび４個の露光装置４９Ｂ、４９Ｙ、４９Ｍ、４９Ｃを含む。各プロセスユニット４０Ｂ、４０Ｙ、４０Ｍ、４０Ｃは、シート１５の搬送方向（図１の左右方向）に一列状に配置されている。
【００２３】
各プロセスユニット４０は同一構造であり、図１や図２に示すように、各色の感光ドラム（「感光体」の一例）４１Ｂ、４１Ｙ、４１Ｍ、４１Ｃ、現像剤である各色のトナー（例えば正帯電性の非磁性１成分トナー）を収容するトナーケース４３、現像ローラ（「現像器」の一例）４５及び帯電器５０Ｂ、５０Ｙ、５０Ｍ、５０Ｃを含む構造となっている。
【００２４】
各感光ドラム４１Ｂ、４１Ｙ、４１Ｍ、４１Ｃは、例えばアルミニウム製の基材上に、正帯電性の感光層が形成されたものであり、アルミニウム製の基材がプリンタ１のグラウンドに接地されている。
【００２５】
現像ローラ４５は、トナーケース４３の下部にて供給ローラ４６と対向配置されている。現像ローラ４５は、トナーを均一な薄層として感光ドラム４１Ｂ、４１Ｙ、４１Ｍ、４１Ｃ上へ供給する機能を果たす。そして、現像ローラ４５のローラ軸４５Ａには、現像電圧印加回路１４５により現像電圧が印加される構成となっており、感光ドラム４１Ｂ、４１Ｙ、４１Ｍ、４１Ｃに供給されるトナーは、現像電圧により正極性に帯電するようになっている。
【００２６】
各帯電器５０Ｂ、５０Ｙ、５０Ｍ、５０Ｃは、スコロトロン型の帯電器であり、図２に示すように、シールドケース５１、ワイヤ５３及び金属製のグリッド電極５５を有する。シールドケース５１は、感光ドラム４１の回転軸方向に長い角筒型をしている。シールドケース５１のうち、感光ドラム４１との対向面は放電口として開口している。
【００２７】
ワイヤ５３は例えばタングステン線からなる。ワイヤ５３は高電圧の印加により、シールドケース５１内においてコロナ放電を生じさせる。そして、コロナ放電により生じたイオンが放電口から感光ドラム４１側に放電電流として流れることで、感光ドラム４１の表面を一様に正極性に帯電させる。
【００２８】
そして、シールドケース５１の放電口には、スリットや透孔を有する板状のグリッド電極５５が取り付けられている。このグリッド電極５５に電圧を加え、その加えた電圧を制御することで、感光ドラム４１の帯電電圧を制御することが可能となっている。
【００２９】
各露光装置４９Ｂ、４９Ｙ、４９Ｍ、４９Ｃは、例えば、感光ドラム４１Ｂ、４１Ｙ、４１Ｍ、４１Ｃの回転軸方向に沿って一列状に並んだ複数の発光素子（例えばＬＥＤ）を有し、外部より入力される画像データに応じて発光することにより、各感光ドラム４１Ｂ、４１Ｙ、４１Ｍ、４１Ｃの表面に静電潜像を形成する機能を果たす。
【００３０】
上記のように構成されたレーザプリンタ１による一連の画像形成処理について簡単に説明すると、プリンタ１は印刷データを受信すると、印刷処理を開始する。これにより、各感光ドラム４１Ｂ、４１Ｙ、４１Ｍ、４１Ｃの表面は、その回転に伴って、各帯電器５０Ｂ、５０Ｙ、５０Ｍ、５０Ｃにより一様に正帯電される。そして、各露光装置４９から各感光ドラム４１Ｂ、４１Ｙ、４１Ｍ、４１Ｃに向けてレーザ光がそれぞれ照射される。これにより、各感光ドラム４１Ｂ、４１Ｙ、４１Ｍ、４１Ｃの表面には、印刷データに応じた所定の静電潜像が形成、すなわち一様に正帯電された感光ドラム４１Ｂ、４１Ｙ、４１Ｍ、４１Ｃの表面のうち、レーザ光が照射された部分は電位が下がる。
【００３１】
次いで、現像ローラ４５の回転により、現像ローラ４５上に担持されかつ正帯電されているトナーが、各感光ドラム４１Ｂ、４１Ｙ、４１Ｍ、４１Ｃの表面上に形成される静電潜像に供給される。これにより、各感光ドラム４１Ｂ、４１Ｙ、４１Ｍ、４１Ｃの静電潜像は、可視像化され、感光ドラム４１Ｂ、４１Ｙ、４１Ｍ、４１Ｃの表面には、反転現像によるトナー像が担持される。
【００３２】
また、上記したトナー像を形成するための処理と並行して、シート１５を搬送する処理が行われる。すなわち、ピックアップローラ１９の回動により、トレイ１７からシート１５が一枚ずつ用紙搬送経路Ｙへと送り出される。用紙搬送経路Ｙに送り出されたシート１５は、搬送ローラ１１、ベルト３４により、転写位置（感光ドラム４１と転写ローラ３３とが接触する点）に運ばれる。
【００３３】
すると、この転写位置を通るときに、各転写ローラ３３に印加される転写バイアスによって、各感光ドラム４１の表面上に担持された各色のトナー像（現像剤像）がシート１５の表面に順次、重畳転写される。かくして、シート１５上には、カラーのトナー像（現像剤像）が形成される。その後、ベルト３４の後方に設けられた定着部９を通過するときに、転写されたトナー像（現像剤像）は熱定着され、シート１５は排紙トレイ６０上に排紙される。
【００３４】
次に、図３を参照して、プリンタ１の電気的構成を説明する。プリンタ１は、画像形成用の電装品７０と、画像メモリ８１と、通信部８３と、電源システムＳとを備えている。これら電装品７０、画像メモリ８１、通信部８３、電源システムＳはいずれも本体ケーシング１０に収容されている。
【００３５】
画像形成用の電装品７０は、高圧回路７１、メインモータ７３、定着器９の加熱ローラ９Ａを加熱するヒータ７５、露光装置４９のＬＥＤを駆動するＬＥＤ駆動回路７７などから構成されている。メインモータ７３は、各ローラ１９、１２、３１、３３や感光ドラム４１等の動力源となる。
【００３６】
高圧回路７１は複数の電圧生成回路（図略）を備えており、複数の電圧生成回路は、帯電器５０に印加する帯電電圧を発生させると共に、各帯電器５０のグリッド電極５５に印加するグリッド電圧、各転写ローラ３３に印加する転写電圧等も発生させるものである。
【００３７】
通信部８３はＰＣ等の情報端末装置（図略）との間で通信を行うものであり、情報端末装置から印刷指示や印刷データを受信する機能を担う。また、画像メモリ８１は、情報端末装置から受信した印刷データを一時記憶するものである。
【００３８】
２．電源システムの回路説明
電源システムＳは、制御装置９０と、電源装置１００とから構成されている。電源装置１００はプリンタ１の電源となるものであり、画像形成用の電装品７０、画像メモリ８１、通信部８３及び制御装置９０に対して電力を供給する。
【００３９】
電源装置１００は、スイッチング電源１１０と、スイッチング電源１１０より電源容量が小さい小容量電源としてのコンデンサＣ５とを含む。スイッチング電源１１０は、交流電圧から直流電圧を生成して出力する電源である。スイッチング電源１１０は、整流平滑回路１２１と、トランスＴと、トランス駆動部１２３と、電圧発生回路１２９と、低電圧生成回路１３１と、高電圧生成回路１４１と、電圧検出回路１３５と、負荷スイッチ１５１とを備える。
【００４０】
整流平滑回路１２１は、いわゆるコンデンサインプット型であり、交流電源１０５の交流電圧を整流するブリッジダイオードＤ１と、整流後の電圧を平滑化するコンデンサＣ１とから構成されている。そして、整流平滑回路１２１の出力側にはトランスＴが設けられていて、交流電圧を整流平滑化した入力電圧が、トランスＴの一次コイルＮ１に印加される構成となっている。
【００４１】
トランス駆動部１２３は、ＦＥＴ（電界効果トランジスタ）１２５と、ＦＥＴ１２５を制御する制御ＩＣ１２７とを含む。ＦＥＴ１２５はＮチャンネルのＭＯＳＦＥＴであり、ドレインＤを一次コイルＮ１に接続する。また、ソースＳは、電流検出抵抗Ｒ５を介して、一次側の基準電位Ｖｇに接続されている。ＦＥＴ１２５は、制御ＩＣ１２７の出力ポートＯＵＴからゲートＧにオンオフ信号（ＰＷＭ信号）が与えられることにより、一定周期でオンオフ動作する。これにより、トランスＴが駆動（すなわち、一次側が発振）して、トランスＴの二次コイルＮ２Ａ、Ｎ２Ｂに電圧を誘起させる構成となっている。
【００４２】
電圧発生回路１２９は、トランス２３の一次側に設けられた補助コイルＮ３に誘起される電圧を、ダイオードＤ２とコンデンサＣ２により整流平滑化するものである。電圧発生回路１２９は、制御ＩＣ１２７の電源（概ね２０Ｖ）となる。
【００４３】
トランスＴは一次コイルＮ１と、二次コイルＮ２とを含む。二次コイルＮ２は巻き数の異なる複数の二次コイルＮ２Ａ、Ｎ２Ｂを含む。二次コイルＮ２Ｂは、二次コイルＮ２Ａよりも巻き数が多く、二次コイルＮ２Ａよりも高い電圧を発生させる。以下、「Ｎ２Ａ」を低圧側の二次コイルと呼び、「Ｎ２Ｂ」を高圧側の二次コイルと呼ぶ。また、一次コイルＮ１は「一次巻線」の一例であり、二次コイルＮ２が「二次巻線」の一例である。
【００４４】
低電圧生成回路１３１は、低圧側の二次コイルＮ２Ａに接続されており、ダイオードＤ３と平滑化コンデンサＣ３とからなる。低電圧生成回路１３１は、低圧側の二次コイルＮ２Ａに誘起された電圧を整流平滑化し、ＤＣ約２４Ｖの電圧を出力する。
【００４５】
高電圧生成回路１４１は、高圧側の二次コイルＮ２Ｂに接続されており、ダイオードＤ７と平滑化コンデンサＣ７とからなる。高電圧生成回路１４１は、高圧側の二次コイルＮ２Ｂに誘起された電圧を整流平滑化しＤＣ約１ｋＶ〜１．５ｋＶの電圧を出力する。このようにスイッチング電源１１０は２組の二次コイルＮ２Ａ、Ｎ２Ｂに対応して、２組の電圧生成回路１３１、１４１を備えており、ＤＣ約２４Ｖと、ＤＣ約１．５ｋＶの２つの直流電圧を出力する。
【００４６】
そして、低電圧生成回路１３１には、メインモータ７３等の電装品が負荷として接続されていて、低電圧生成回路１３１からメインモータ７３等の電装品に対して電源電圧ＤＣ２４Ｖで電力が供給される構成となっている。
【００４７】
また、低電圧生成回路１３１の出力ライン上には、ＤＣ−ＤＣコンバータ１３７が設けられている。ＤＣ−ＤＣコンバータ１３７は、低電圧生成回路１３１の出力電圧をＤＣ５Ｖに降圧する。そして、ＤＣ−ＤＣコンバータ１３７の出力ラインは、制御装置９０の第１電源ポートＶＤＤ１に接続されていて、ＤＣ−ＤＣコンバータ１３７から制御装置９０に対して電源電圧ＤＣ５Ｖで電力が供給される構成となっている。また、ＤＣ−ＤＣコンバータ１３７の出力ラインは、画像メモリ８１や通信部８３に対しても電源電圧ＤＣ５Ｖで電力が供給される構成となっている。尚、画像メモリ８１、通信部８３、制御装置９０等が「第一負荷」の一例である。
【００４８】
また、ＤＣ−ＤＣコンバータ１３７の出力ラインには、ダイオードＤ５を介してコンデンサ（蓄電用の電気二重層キャパシタ）Ｃ５が接続されている。コンデンサＣ５は、スイッチング電源１１０の出力時に低電圧生成回路１３１から充電電流の供給を受けて充電する。尚、コンデンサＣ５が「蓄電部」の一例である。
【００４９】
そして、コンデンサＣ５は、制御装置９０の第２電源ポートＶＤＤ２に接続されており、スイッチング電源１１０が出力を停止する間、制御装置９０に対して電力を供給する。尚、コンデンサＣ５の電源容量はスイッチング電源１１０の電源容量よりも小さい。
【００５０】
一方、高電圧生成回路１４１には、現像電圧印加回路１４５が負荷として接続されている。現像電圧印加回路１４５は、直列接続された２つの抵抗ＲＡ、ＲＢから構成されている。現像電圧印加回路１４５は、高電圧生成回路１４１の出力電圧を、２つの抵抗ＲＡ、ＲＢの抵抗比により降圧する降圧回路であり、２つの抵抗ＲＡ、ＲＢの中間接続点から出力ラインＯＵＴ（ＯＵＴ１〜ＯＵＴ４の総称）を引き出している。そして、現像電圧印加回路１４５の出力ラインＯＵＴには、現像ローラ４５のローラ軸４５Ａが接続されており、現像ローラ４５のローラ軸４５Ａに対して概ね５００Ｖ程度の現像電圧が印加されるようになっている。
【００５１】
また、２つの抵抗ＲＡ、ＲＢのうち一方の抵抗ＲＡは、制御装置９０からの制御信号Ｓ３により、抵抗値を電気的に制御可能な可変抵抗である。以上のことから、制御装置９０にて、抵抗ＲＡの抵抗値を調整することにより、現像ローラ４５に印加する現像電圧を調整することができる。尚、可変抵抗ＲＡの一例としては、図５に示すようにバイポーラトランジスタ（コレクタ抵抗を可変抵抗として利用するものであり、ベース電流を制御することで、抵抗値を調整）を例示することができる。また、現像電圧印加回路１４５は、図４に示すように、並列４回路設けられており、各プロセスユニット４０Ｂ、４０Ｙ、４０Ｍ、４０Ｃの現像ローラ４５に印加する現像電圧を個々に調整すること出来る。尚、現像電圧印加回路１４５が「第二負荷」の一例である。
【００５２】
図４に示すように、負荷スイッチ１５１は、トランスＴの二次コイルＮ２Ｂから現像電圧印加回路１４５に至る通電路Ｌｃ上に設けられている。負荷スイッチ１５１は、スイッチのオンオフにより通電路Ｌｃを開閉することにより、トランスＴの二次コイルＮ２Ｂに対する現像電圧印加回路１４５の接続状態を切り換える機能を果たす。すなわち、現像電圧印加回路１４５を、トランスＴの二次コイルＮ２Ｂに対して接続した状態と、二次コイルＮ２Ｂから切り離した状態とに切り換える。
【００５３】
また、本プリンタでは、負荷スイッチ１５１を、通電路ＬｃのうちダイオードＤ７の後段側に設けている。具体的には、ダイオードＤ７と、平滑化コンデンサＣ７との間に設けている。負荷スイッチ１５１をダイオードＤ７の後段側に設けておけば、負荷スイッチ１５１に対して正の電圧だけが加わることになるので、負荷スイッチ１５１にＦＥＴやトランジスタ等を利用することが可能となり、スイッチを小型化することが出来る。本プリンタ１では、負荷スイッチ１５１をＦＥＴとしている。
【００５４】
電圧検出回路１３５は、低電圧生成回路１３１の出力電圧のレベルを検出して、検出した出力電圧と目標値との差をフィードバック信号として出力するものである。電圧検出回路１３５は、一対の検出抵抗Ｒ１、Ｒ２と、シャントレギュレータＲｅと、シャントレギュレータＲｅと直列接続された発光ダイオードＬＥＤ１とから構成されている。
【００５５】
検出抵抗Ｒ１、Ｒ２は、低電圧生成回路１３１の出力ラインと二次側の基準電位ＧＮＤの間に設けられていて、出力電圧Ｖｏ１を抵抗比により分圧した分圧電圧Ｖａを検出するものである。シャントレギュレータＲｅは、シャントレギュレータＲｅ内の基準電圧（目標値に対応する電圧）と分圧電圧Ｖａとのレベル差に応じた電流を流す。発光ダイオードＬＥＤ１は、低電圧生成回路１３１の出力電圧と目標値との差を示すフィードバック信号を光信号により出力するものであり、基準電圧と分圧電圧Ｖａとのレベル差に応じた光量の光信号を出力する。
【００５６】
制御ＩＣ１２７は、電圧発生回路１２９に接続された電源ポートＶＣＣと、高電圧入力ポートＶＨと、フィードバックポートＦＢと、出力ポートＯＵＴと、切り換えポートＣＨと、電流検出ポートＩＳと備え、スイッチング電源１１０の出力電圧を制御する機能、過電流を検出する機能、スイッチング電源１１０のモードを切り換える機能を備える。高電圧入力ポートＶＨは、抵抗とダイオードを介して、整流平滑回路１２１の出力ラインに接続されており、制御ＩＣ１２７は、電圧発生回路１２９以外に、交流電源１０５からも電力の供給を受けることが出来る。
【００５７】
制御ＩＣ１２７の出力ポートＯＵＴは、ＦＥＴ１２５のゲートに接続されている。制御ＩＣ１２７のフィードバックポートＦＢには、フォトトランジスタＰＴ１が接続されている。フォトトランジスタＰＴ１は、電圧検出回路１３５の発光ダイオードＬＥＤ１と共にフォトカプラを構成する。電圧検出回路１３５にて検出されたフィードバック信号は、発光ダイオードＬＥＤ１、フォトトランジスタＰＴ１を介して、制御ＩＣ１２７のフィードバックポートＦＢに入力される。
【００５８】
制御ＩＣ１２７は、ＦＥＴ１２５に対して出力するオンオフ信号（ＰＷＭ信号）のＰＷＭ値を、電圧検出回路１３５からのフィードバック信号に応じて変更する。これにより、トランスＴが出力調整され、低電圧生成回路１３１の出力電圧を、目標電圧（ＤＣ２４Ｖ）に制御することが出来る。
【００５９】
制御ＩＣ１２７の電流検出ポートＩＳは、電流検出抵抗Ｒ５に接続されている。制御ＩＣ１２７は、電流検出ポートＩＳの電圧レベルをモニタして、トランスＴに流れる一次電流の大きさを監視し、一次電流が過電流であるか検出する。
【００６０】
また、制御ＩＣ１２７の切り換えポートＣＨには、フォトトランジスタＰＴ２が接続されている。フォトトランジスタＰＴ２は、発光ダイオードＬＥＤ２と共にフォトカプラを構成している。制御装置９０から出力される切換信号Ｓ１は、発光ダイオードＬＥＤ２、フォトトランジスタＰＴ２を介して、制御ＩＣ１２７の切り換えポートＣＨに入力される。
【００６１】
制御ＩＣ１２７は、切換信号Ｓ１の入力に応答して、ＦＥＴ１２５に対するオンオフ信号の出力を停止又は再開する機能を担う。すなわち、ＦＥＴ１２５に対するオンオフ信号の出力を停止している時に、切換信号Ｓ１を受けると、オンオフ信号の出力を再開する。一方、オンオフ信号を出力している時に、切換信号Ｓ１を受けると、オンオフ信号の出力を停止する。制御ＩＣ１２７がオンオフ信号の出力を停止すると、ＦＥＴ１２５がオフしトランスＴの一次側に電流が流れなくなる。そのため、トランスＴは駆動を停止した状態となり、スイッチング電源１１０は出力停止状態（出力停止モード）となる。一方、制御ＩＣ１２７がオンオフ信号の出力を再開すると、ＦＥＴ１２５が一定周期でオンオフするため、トランスＴの一次側に電流が流れる。そのため、トランスＴは駆動状態となり、スイッチング電源１１０は出力状態（フル出力モード又は省電力モード）となる。
【００６２】
尚、「駆動」という意味は、トランスＴが通電状態にあり、二次側に電圧を誘起させている状態を意味する。また、「駆動を停止」という意味は、トランスＴが非通電状態にあり、二次側に電圧を誘起していない状態を意味する。
【００６３】
制御装置９０は演算機能を担うＣＰＵ９１、プログラムやデータを記憶するメモリ９３、待機時間等を計時するタイマ９５を内蔵したＡＳＩＣであり、各電装品７０を制御して印刷処理等を実行すると共に、電源装置１００を制御する機能を担う。具体的に説明すると、制御装置９０は、３つの出力ポートＰ１〜Ｐ３と、１つの入力ポートＰ４とを備えている。出力ポートＰ１は、抵抗を介して発光ダイオードＬＥＤ２に接続されている。制御装置９０は出力ポートＰ１を通じて切換信号Ｓ１を出力することで、スイッチング電源１１０のトランスＴを、駆動状態と、駆動停止状態とに切り換えることができる。
【００６４】
出力ポートＰ２は負荷スイッチ１５１に接続されている。制御装置９０は出力ポートＰ２を通じて制御信号Ｓ２を出力することで、負荷スイッチ１５１のオンオフを制御することが出来る。出力ポートＰ３は、現像電圧印加回路１４５に接続されている。制御装置９０は、出力ポートＰ３を通じて制御信号Ｓ３を出力することで、現像電圧を調整することが出来る。尚、図４中、出力ポートＰ３を１つのみ記載してあるが、実際は４組の現像電圧印加回路１４５に対応して、４組設けられており、各現像電圧印加回路１４５に対して制御信号Ｓ３を個別に送ることが出来る。また、入力ポートＰ４は、パネルスイッチＳＷに接続されている。ユーザは、パネルスイッチＳＷを操作することで、プリンタ１に対してモードの切り換えを指示することができる。
【００６５】
３．プリンタ１のモードについて
プリンタ１には、図６に示すようにフル出力モード、省電力モード、出力停止モードの３つのモードが設定されている。フル出力モードは、プリンタ１を構成する全ての電装品に対して電力を供給してウォーミングアップ動作（印刷動作を開始するための準備動作）や印刷動作を実行可能とするモードである。フル出力モード中は、低電圧生成回路１３１に接続された各負荷に加えて、高電圧生成回路１４１に接続された負荷（現像電圧印加回路１４５）も動作可能にする必要がある。そのため、制御装置９０により、トランスＴは駆動状態に制御され、負荷スイッチ１５１はオン状態に制御される。
【００６６】
省電力モードは、プリンタ１を構成する電装品のうち画像メモリ８１、通信部８３、制御装置９０等の一部の電装品にのみ電力を供給し、印刷指示の受信やモードの切り換え等の必要最小限の動作のみ実行可能とするモードである。別の言い方をすれば、電力消費の大きい電装品（メインモータ７３や、現像電圧印加回路１４５）を停止することで、電力の消費を抑えるモードである。尚、電力消費の大きい電装品を停止させる方法としては、スイッチを用いて通電を遮断する方法や、電気的な制御により起動を止める方法を採ることが出来る。
【００６７】
この省電力モード中は、低電圧生成回路１３１に接続された一部の負荷（画像メモリ８１、通信部８３、制御装置９０等）には電力を供給する必要があるため、制御装置９０により、トランスＴは駆動状態に制御され、スイッチング電源１１０は出力状態となる。また、省電力モード中、負荷スイッチ１５１はオフ状態に制御される。これにより、高電圧生成回路１４１に接続された現像電圧印加回路１４５はトランスＴの高圧側の二次コイルＮ２Ｂから切り離された状態となるため、現像電圧印加回路１４５にて消費される待機電力を抑えることが出来る。
【００６８】
出力停止モードは、スイッチング電源１１０の出力を停止させるモードである。出力停止モード中、制御装置９０により、トランスＴは駆動停止状態に制御され、かつ負荷スイッチ１５１はオフ状態に制御される。この出力停止モード中は、交流電源１０５から電力供給される制御ＩＣ１２７と、コンデンサＣ５から電力が供給される制御装置９０だけが動作状態となり、それ以外の電装品は停止状態となる。なお、出力停止モード中、負荷スイッチ１５１をオフしておくのは、元のモードに復帰した時に、無駄な電力の消費を抑えるためである。
【００６９】
これら３つのモード、すなわちフル出力モード、省電力モード、出力停止モードは、上記したように印刷処理、印刷指示待ち、電源オフに各々対応しており、ユーザ指示又はプリンタ１の使用状況によって、モードチェンジされる構成となっている。
【００７０】
具体的には、プリンタ１は電源投入後、ウォーミングアップ動作を実行するためフル出力モードに移行する。その後、待機時間が所定時間に達すると省電力モードに移行する。そして、省電力モード中に、印刷指示を受けるなどのイベントが発生するとフル出力モードに移行し、その後、待機時間が所定時間に達すると省電力モードに再び移行する。また、プリンタ１の待機中にパネルスイッチＳＷが操作されると、出力停止モードに移行し、その後、更にパネルスイッチＳＷが操作されると、元のモードに復帰する。すなわち、フル出力モードで待機している状態からパネルスイッチＳＷが操作されて、出力停止モードに移行した場合は、フル出力モードに復帰する。一方、省電力モードで待機している状態からパネルスイッチＳＷが操作されて、出力停止モードに移行した場合は、省電力モードに復帰する。
【００７１】
４．負荷スイッチの耐圧とサージの関係
負荷スイッチ１５１は、トランスＴのうち高圧側の二次コイルＮ２Ｂの通電路Ｌｃ上に設けられていて、約１ｋＶ以上の高圧を入り切りするため、耐圧を高く設定する必要がある。加えて、トランスＴを駆動させている状態から負荷スイッチ１５１をオンオフすると、オンオフに伴って、負荷スイッチ１５１の両端電圧Ｖｓが大きく変化する。例えば、トランスＴを駆動させている状態で、負荷スイッチ１５１をオフ（開）からオン（閉）に切り換えようとすると、図７に示すように、負荷スイッチ１５１の両端電圧Ｖｓが「１．５」ｋＶ（オフ時）から「０」Ｖ（オン時）に変化する。また、負荷スイッチ１５１をオンからオフに切り換えようとすると、負荷スイッチ１５１の両端電圧Ｖｓが「０」ｋＶ（オン時）から「０．５」ｋＶ（オフ時）に変化する。
【００７２】
オンオフに伴って、負荷スイッチ１５１の両端電圧Ｖｓが大きく変化すると、サージが発生し易くなる。そのため、サージの発生を見込むと、負荷スイッチ１５１の耐圧を更に上げる必要があり、負荷スイッチ１５１が大型化する。そのため、本プリンタ１では、トランスＴの駆動を停止させた状態で、負荷スイッチ１５１をオンオフする。
【００７３】
具体的には、負荷スイッチ１５１をオフからオンに切り換える場合、図８に示すように、まず、制御装置９０から制御ＩＣ１２７に対して切換信号Ｓ１を出力して、トランスＴの駆動を一旦停止させる（Ｓ１）。そして、トランスＴの駆動停止後、制御装置９０から負荷スイッチ１５１に対して制御信号Ｓ２を出力して、トランス停止期間中に、負荷スイッチ１５１をオフからオンに切り換える（Ｓ３）。負荷スイッチ１５１がオフからオンに切り換わった後に、制御装置９０から制御ＩＣ１２７に対して切換信号Ｓ１を出力して、トランスＴの駆動を再開させる（Ｓ５）。尚、Ｓ３の処理が「切換処理、オン処理」に相当する。
【００７４】
また、負荷スイッチ１５１をオンからオフに切り換える場合、図９に示すように、まず、制御装置９０から制御ＩＣ１２７に対して切換信号Ｓ１を出力して、トランスＴの駆動を一旦停止させる（Ｓ７）。そして、トランスＴの駆動停止後、制御装置９０から負荷スイッチ１５１に対して制御信号Ｓ２を出力して、トランス停止期間中に、負荷スイッチ１５１をオンからオフに切り換える（Ｓ９）。尚、Ｓ９の処理が「切換処理、オフ処理」に相当する。
【００７５】
トランスＴの駆動を停止させた状態では、負荷スイッチ１５１の両端電圧は０Ｖになるため、負荷スイッチ１５１をオンオフしても負荷スイッチ１５１の両端電圧Ｖｓは変化しない。そのため、サージが発生し難くなるので、負荷スイッチ１５１の耐圧を下げることが可能となる。
【００７６】
５．印刷処理の実行に伴う負荷スイッチの切り換え動作
プリンタ１は電源投入後、ウォーミングアップ動作を実行するためフル出力モードに移行する。その後、待機時間が所定時間に達すると、制御装置９０の指令により省電力モードに移行して情報端末装置からの印刷指示を待つ状態となる。省電力モード中は、負荷スイッチ１５１がオフに制御され、現像電圧印加回路１４５がスイッチング電源１１０から切り離された状態になるため、待機電力を抑えることが出来る。また、スイッチング電源１１０のトランスＴは駆動しており、低電圧生成回路１３１は出力状態となる。そのため、通信部８３や制御装置９０等の一部の電装品は電力が供給され動作状態となることから、情報端末装置からの印刷指示は受信することができる。
【００７７】
情報端末装置から印刷指示が送られると、図１０に示すように、通信部８３は印刷指示を受信する（Ｓ２１）。その後、制御装置９０は、プリンタ１のモードを省電力モードからフル出力モードに切り換える処理を行い、モード切り換え後、印刷処理を実行する。
【００７８】
具体的に説明すると、制御装置９０は、まず、出力ポートＰ３を通じて現像電圧印加回路１４５に制御信号Ｓ３を出力して、現像電圧印加回路１４５の出力電圧（現像ローラ４５に対して印加する現像電圧）を０Ｖに設定する処理を行う（Ｓ２３）。
【００７９】
次に、制御装置９０は、出力ポートＰ１から制御ＩＣ１２７に対して切換信号Ｓ１を出力して、トランスＴの駆動を一旦停止させる（Ｓ２５）。そして、トランスＴの駆動停止後、制御装置９０は出力ポートＰ２から負荷スイッチ１５１に対して制御信号Ｓ２を出力して、トランス停止期間中に、負荷スイッチ１５１をオフからオンに切り換える（Ｓ２７:切換処理）。
【００８０】
そして、負荷スイッチ１５１がオフからオンに切り換わった後、制御装置９０は、出力ポートＰ１から制御ＩＣ１２７に対して切換信号Ｓ１を出力して、トランスＴの駆動を再開させる（Ｓ２９）。これにより、低電圧生成回路１３１に接続された制御装置等の負荷に加えて、高電圧生成回路１４１に接続された現像電圧印加回路１４５に対して電力が供給される。また、省電力モード時に停止していた他の電装品に対する通電も、制御装置９０の指令により再開され、プリンタ１はフル出力モードに移行する。
【００８１】
その後、制御装置９０は出力ポートＰ３を通じて現像電圧印加回路１４５に制御信号Ｓ３を出力して、現像電圧印加回路１４５の出力電圧（現像ローラ４５に対して印加する現像電圧）を目標電圧（一例として５００Ｖ）に設定する処理を行う（Ｓ３１）。
【００８２】
続いて、制御装置９０は画像形成部５に印刷処理を実行させる（Ｓ３３）。そして、印刷処理が終了すると、制御装置９０は出力ポートＰ３を通じて現像電圧印加回路１４５に制御信号Ｓ３を出力して、現像電圧印加回路１４５の出力電圧（現像ローラ４５に対して印加する現像電圧）を０Ｖに設定する処理を行う（Ｓ３５）。
【００８３】
その後、制御装置９０は、印刷処理の終了から各種指示が入力されない待機時間が所定時間に達したかどうかを判定する処理を行う（Ｓ３７）。そして、待機時間が所定時間未満の場合は、ＮＯ判定され、待機状態が継続する。そして、待機時間が所定時間に達するとＳ３７にてＹＥＳ判定され、Ｓ３９以降の処理にて、プリンタ１のモードがフル出力モードから省電力モードに切り換えられる。
【００８４】
具体的に説明すると、制御装置９０は、出力ポートＰ１から制御ＩＣ１２７に対して切換信号Ｓ１を出力して、トランスＴの駆動を一旦停止させる（Ｓ３９）。そして、トランスＴの駆動停止後、制御装置９０は出力ポートＰ２から負荷スイッチ１５１に対して制御信号Ｓ２を出力して、トランス停止期間中に、負荷スイッチ１５１をオンからオフに切り換える（Ｓ４１：切換処理）。
【００８５】
そして、負荷スイッチ１５１がオンからオフに切り換わった後、制御装置９０は、出力ポートＰ１から制御ＩＣ１２７に対して切換信号Ｓ１を出力して、トランスＴの駆動を再開させる（Ｓ４３）。これにて、プリンタ１は、当初の状態に戻り、情報端末装置からの印刷指示を待つ状態となる。
【００８６】
６．モードの移行に伴う負荷スイッチの切り換え動作
ユーザによるパネルスイッチＳＷの操作により、プリンタ１のモードは次のように切り換わる。省電力モード又はフル出力モードの状態でパネルスイッチＳＷが操作された場合は、出力停止モードに移行する。また、出力停止モードの状態でパネルスイッチＳＷが操作された場合は、移行前のモードに復帰する。
【００８７】
以下、パネルスイッチＳＷの操作により、プリンタ１のモードがフル出力モードから出力停止モードに移行する場合について、負荷スイッチ１５１の切り換え動作を説明する（図１１参照）。ユーザがパネルスイッチＳＷを操作すると、入力ポートＰ４の電圧が変化する。制御装置９０は、入力ポートＰ４の電圧変化に基づいて、パネルスイッチＳＷの操作を検出する（Ｓ５１）。
【００８８】
制御装置９０は、パネルスイッチＳＷの操作を検出すると、出力ポートＰ１を通じて制御ＩＣ１２７に対して切換信号Ｓ１を出力してトランスＴの駆動を一旦停止させる（Ｓ５３）。そして、トランスＴの駆動停止後、制御装置９０は、出力ポートＰ２を通じて負荷スイッチ１５１に対して制御信号Ｓ２を出力して、トランス停止期間中に、負荷スイッチ１５１をオンからオフに切り換える（Ｓ５５：切換処理）。これにて、スイッチング電源１１０は出力を停止した状態となるため、プリンタ１は出力停止モードに移行する。
【００８９】
次に、パネルスイッチＳＷの操作により、プリンタ１のモードが出力停止モードからフル出力モードに移行（復帰）する場合について、負荷スイッチ１５１の切り換え動作を説明する(図１２参照）。ユーザがパネルスイッチＳＷを操作すると、入力ポートＰ４の電圧が変化する。制御装置９０は、入力ポートＰ４の電圧変化に基づいて、パネルスイッチＳＷの操作を検出する（Ｓ６１）。
【００９０】
制御装置９０は、パネルスイッチＳＷの操作を検出すると、制御装置９０は、出力ポートＰ２を通じて負荷スイッチ１５１に対して制御信号Ｓ２を出力して、トランス停止期間中に、負荷スイッチ１５１をオフからオンに切り換える（Ｓ６３：切換処理）。そして、負荷スイッチ１５１の切り換え後、制御装置９０は、出力ポートＰ１を通じて制御ＩＣ１２７に切換信号Ｓ１を出力してトランスＴの駆動を再開させる（Ｓ６５）。これにて、スイッチング電源１１０は出力を再開した状態となるため、プリンタ１はフル出力モードに移行する。
【００９１】
７．効果説明
本プリンタ１では、低電圧生成回路１３１側に接続された負荷に対してのみ電力を供給する場合（具体的には省電力モード中）には、負荷スイッチ１５１の切り換えによって、高電圧生成回路１４１に接続された現像電圧印加回路１４５をトランスＴから切り離す。そのため、現像電圧印加回路１４５にて消費される待機電力を抑えることが可能となる。以上のことから、スイッチング電源１１０を省電力化できる。
【００９２】
また、負荷スイッチ１５１を切り換える場合、一旦、トランスＴの駆動を停止して、スイッチ両端に電圧が加わっていない状態で、負荷スイッチ１５１を切り換える。そのため、スイッチの切り換えに伴う、サージの発生を抑えることができる。よって、負荷スイッチ１５１の耐圧を下げることが出来るため、負荷スイッチ１５１、ひいてはスイッチング電源１１０を小型化することが出来る。
【００９３】
加えて、本プリンタ１では、負荷スイッチ１５１を、ダイオードＤ７の後段側に設けている。負荷スイッチ１５１をダイオードＤ７の後段側に設けておけば、負荷スイッチ１５１に対して正の電圧だけが加わることになるので、負荷スイッチ１５１にＦＥＴやトランジスタ等を利用することが可能となる。そのため、負荷スイッチ１５１を一層、小型化することができる。
【００９４】
加えて、本プリンタ１では、低電圧生成回路１３１の出力によりコンデンサＣ５を充電し、スイッチング電源１１０の停止中は、コンデンサＣ５から制御装置９０に対して電力を供給する構成とした。スイッチング電源１１０の停止中に、制御装置９０に対して電力を供給する電源を別に設けると、部品点数が多くなるので、どうしても電源装置１００の大型化を招く。この点、本プリンタ１は、そうした電源をコンデンサＣ５により構成していることから、部品点数を必要最小限にすることが出来、電源装置１００を小型化することが可能となる。また、本プリンタ１では、各現像ローラ４５ごとに現像電圧印加回路１４５を専用に設けている。そのため、各現像ローラ４５に印加する現像電圧を個別に制御できることから、画質を高めることが可能である。
【００９５】
＜実施形態２＞
次に、本発明の実施形態２を図１３によって説明する。
実施形態１では、出力停止モード中、制御装置９０に対して電力を供給する小容量電源の一例に、低電圧生成回路１３１の出力により充電されるコンデンサＣ５を設けた例を示した。
【００９６】
実施形態２では、出力停止モード中、制御装置９０に対して電力を供給する小容量電源を、実施形態１とは別の構成にしている。具体的に説明すると、実施形態２の小容量電源回路２００は、交流電源１０５に接続されたダイレクト電源であり、結合回路２１０と、整流回路２３０と、平滑回路２５０とを含む。
【００９７】
結合回路２１０は、一対のコンデンサＣ１１、Ｃ１２からなる。コンデンサＣ１１、コンデンサ１２は、交流的な抵抗であるインピーダンスが大きく、小容量電源回路２００を小容量化する機能、具体的には次に説明する整流回路２３０の出力電流を概ね数十〜数百［μＡ］程度に制限する機能を果たす。尚、スイッチング電源１１０の出力電流は一例として数［Ａ］程度（印刷時）であり、スイッチング電源１１０は小容量電源回路２００に比べて電源容量がはるかに大きい。
【００９８】
整流回路２３０は４つのダイオードＤ１１〜Ｄ１４からなるブリッジ回路であり、結合回路２１０を介して交流電源１０５に接続されている。平滑回路２５０は、平滑蓄電コンデンサＣ１３とツェナーダイオードＺＤとを含む。平滑回路２５０は整流回路２３０に接続されており、整流回路２３０の出力を平滑して、ＤＣ約５Ｖの電圧を出力する。そして、平滑回路２５０の出力ラインは、制御装置９０の第２電源ポートＶＤＤ２に接続されており、小容量電源回路２００から制御装置９０に対して電源電圧ＤＣ５Ｖで電力が供給される。
【００９９】
小容量電源回路２００は、交流電源１０５に直接接続されているため、出力停止モード中、制御装置９０に対して電力を供給することができる。そして、小容量電源回路２００の電源容量は、制御装置９０を動作させることが可能な、必要最小源の容量に抑えられているので、交流電源１０５の消費電力を抑えることが可能となる。また、実施形態１のように、コンデンサＣ５への充電タイプの電源の場合、コンデンサＣ５が放電し切ると、制御装置９０が止まってしまうことから、スイッチング電源１１０を再起動できない恐れがあるが、小容量電源回路２００であれば、交流電源１０５に対して常時接続されているので、そのような心配がないというメリットがある。
【０１００】
＜他の実施形態＞
本発明は上記記述及び図面によって説明した実施形態に限定されるものではなく、例えば次のような実施形態も本発明の技術的範囲に含まれる。
【０１０１】
（１）上記実施形態１、２では、制御装置９０を、ＣＰＵ９１等を搭載したＡＳＩＣ（特定用途向け集積回路）により構成した例を示した。制御装置９０は、１つのＣＰＵ、ＲＯＭ、ＲＡＭにより構成してもよく、又特定用途向け集積回路（ＡＳＩＣ）等の１つ以上のハード回路や、ＣＰＵとハード回路の組み合わせにより構成してもよい。
【０１０２】
（２）実施形態１、実施形態２では、負荷スイッチ１５１の一例に、半導体スイッチ（ＦＥＴ）を例示した。負荷スイッチ１５１は、通電路Ｌｃをオンオフできればよくリレーであってもよい。また、設置場所も通電路Ｌｃ上であればよく、例えば、トランスＴの高圧側の二次コイルＮ２ＢとダイオードＤ７との間に設けることも可能である。
【０１０３】
（３）実施形態１、実施形態２では、高電圧生成回路１４１に接続される負荷（第二負荷）の一例に現像電圧印加回路１４５を例示した。負荷は、高電圧を利用する負荷であればよく、例えば、帯電器に印加する帯電電圧を生成する帯電電圧印加回路や、グリッド電極に印加するグリッド電圧を生成するグリッド電圧印加回路であってもよい。
【０１０４】
（４）実施形態１、実施形態２では、電源システムＳを、プリンタに使用する例を挙げたが、電気機器であれば、適用可能であり、電源システムＳの用途はプリンタに限定されない。例えば、テレビなどの家電製品に広く使用できる。また、実施形態１、実施形態２では、電子写真式のプリンタを例示したが、インクジェット式のプリンタへの適用も可能である。
【符号の説明】
【０１０５】
１...プリンタ
５...画像形成部
９０...制御装置
１００...電源装置
１１０...スイッチング電源
１２１...整流平滑回路
１２３...トランス駆動部
１２９...電圧発生回路
１３１...低電圧生成回路
１４１...高電圧生成回路
１４５...現像電圧印加回路（第二負荷）
１５１...負荷スイッチ
Ｓ...電源システム
Ｎ１...一次コイル（一次巻線）
Ｎ２...二次コイル（二次巻線）
Ｔ...トランス
Ｃ５...コンデンサ（小容量電源、蓄電部）
【図１】
2015012691.tif 000003
【図２】
2015012691.tif 000004
【図３】
2015012691.tif 000005
【図４】
2015012691.tif 000006
【図５】
2015012691.tif 000007
【図６】
2015012691.tif 000008
【図７】
2015012691.tif 000009
【図８】
2015012691.tif 000010
【図９】
2015012691.tif 000011
【図１０】
2015012691.tif 000012
【図１１】
2015012691.tif 000013
【図１２】
2015012691.tif 000014
【図１３】
2015012691.tif 000015